(57)【要約】【課題】本考案は手首に装着したプレート本体５やゴム紐９を見るか、所定時間経過する際の警告音で傘の置き忘れに気付くと共に解除片４を差込まなければ傘が開かず使用不能とすることで盗難を防止できる置き忘れ防止及び盗難防止用傘を提供することを目的とする。【解決手段】握柄本体１の基部の外周にスライドリング２をスライド自在に設け、該スライドリング２の内周に傘骨11の先端を収納したロック状態が確保されるためのロック手段３を、スライドリング２の内側に備え、該ロック手段３によるロック状態が解除されるための解除片４を、手持ち可能なプレート本体５に取付けると共にそのプレート本体５には、少なくともアラーム７付きタイマー６が埋設された構造とする。【選択図】図１
0003119766.tif 000002
【実用新案登録請求の範囲】
【請求項１】
握柄本体（１）の基部の外周に、傘骨（11）の先端が内周に収納可能なスライドリング（２）をスライド自在に設け、該スライドリング（２）の内周に前記傘骨（11）の先端を収納したロック状態が確保されるためのロック手段（３）を、前記スライドリング（２）の内側に備え、該ロック手段（３）によるロック状態が解除されるための解除片（４）を、手持ち可能なプレート本体（５）に取付けると共にそのプレート本体（５）には、少なくともアラーム（７）付きタイマー（６）が設けられたことを特徴とする置き忘れ防止及び盗難防止用傘。
【請求項２】
前記ロック手段（３）が、予め前記握柄本体（１）の基部に形成した溝状の凹部（1a）に、一端を固定する板バネ（3a）と、予め前記スライドリング（２）に穿設させた止穴（2a）に、挿入可能で且つ前記板バネ（3a）の他端に取付けたピン（3b）とから成された請求項１記載の置き忘れ防止及び盗難防止用傘。
【請求項３】
前記解除片（４）が、予め前記スライドリング（２）に穿設させた係止穴（2b）から挿入して前記板バネ（3a）を押圧可能である請求項２記載の置き忘れ防止及び盗難防止用傘。
【請求項４】
前記プレート本体（５）が、合成樹脂で傘状，動物，キャラクターの内の１つに形成され、且つ、前記タイマー（６）に接続して設定時間を選択する選択ボタン（８）が前記プレート本体（５）に設けられた請求項１記載の置き忘れ防止及び盗難防止用傘。
【請求項５】
前記プレート本体（５）には、手首へ装着可能なゴム紐（９）が取付けられた請求項１又は４記載の置き忘れ防止及び盗難防止用傘。
【請求項６】
前記プレート本体（５）の裏面が平らであり、そこに氏名や連絡先を記載可能とした請求項１、４又は５記載の置き忘れ防止及び盗難防止用傘。
【考案の詳細な説明】
【技術分野】
【０００１】
本考案は傘が開かれないようにロック出来ると共にロック解除片側に目立つ形状のプレートや所定時間経過すると警告音を発する機構を備えた置き忘れ防止及び盗難防止用傘に関する。
【背景技術】
【０００２】
従来、傘を持ち歩く場合、雨が止んでしまうと、事務所やデパート或いは電車や電話ボックスの中に傘をついうっかり置き忘れ、気が付いて取りに行ってもないことが多くあった。このため、傘の盗難を防ぐために傘自体に鍵を取付けるものは従来には殆どないのが現状であるが、近年に於いては、特開２００５−１５２５４２の鍵穴付き傘が提案されている。この構造は自動開傘の作動ボタン金具の側面に、直径約３．５ミリの鍵穴を開け、市販の鍵を鍵穴に通すものであり、これによって前記作動ボタンの押し込みを防ぎ、盗難防止とするものであった。
【０００３】
しかしながら特開２００５−１５２５４２は、市販の鍵を鍵穴に取付け、施錠後、キーを持ち歩く際、そのキーは小さいため、紛失し易く、且つ何処にしまったか分からなくなる場合もあった。更に雨が止んでしまうと、傘をついうっかりと置き忘れ、後日まで気が付かないでいることがある。この場合、特に遠くに置き忘れた場合には、傘を取りに行かずそのままにしてしまうことも多くあると共に傘を取りに行っても紛失していることもある等の問題点があった。
【特許文献１】特開２０００−１５２５４２号公報
【考案の開示】
【考案が解決しようとする課題】
【０００４】
本考案は手首に装着したプレートやゴム紐を見るか、所定時間経過する際の警告音で傘の置き忘れに気付くと共に解除片を差込まなければ傘が開かず使用不能とすることで盗難を防止できる置き忘れ防止及び盗難防止用傘を提供することを目的とする。
【課題を解決するための手段】
【０００５】
本考案は上記問題点を解消するために成されたものであり、つまり、握柄本体の基部の外周にスライドリングをスライド自在に設け、該スライドリングの内周に傘骨の先端を収納したロック状態が確保されるためのロック手段を、スライドリングの内側に備え、該ロック手段によるロック状態が解除されるための解除片を、手持ち可能なプレート本体に取付けると共にそのプレート本体には、少なくともアラーム付きタイマーが設けられる構造とする。また前記ロック手段として、予め握柄本体の基部に形成した溝状の凹部に、一端を固定する板バネと、予めスライドリングに穿設させた止穴に、挿入可能で且つ板バネの他端に取付けたピンとから成すと良く、前記プレート本体を合成樹脂で傘状，動物，キャラクターの内の１つに形成し、且つ、タイマーに接続して設定時間を選択する選択ボタンをプレート本体に設けると良い。更に前記プレート本体に、手首へ装着可能なゴム紐を取付けると良い。尚、本考案で言う「手持ち可能な」とは、手のひらに載せても握れる大きさ或いは手首にゴム紐で装着された際に邪魔にならない程度の大きさの状態を指す。
【考案の効果】
【０００６】
請求項１のように握柄本体（１）の基部の外周には、傘骨（11）の先端が内周に収納可能なスライドリング（２）をスライド自在に設け、該スライドリング（２）の内周に傘骨（11）の先端を収納したロック状態が確保されるためのロック手段（３）を、スライドリング（２）の内側に備え、該ロック手段（３）によるロック状態が解除されるための解除片（４）を、手持ち可能なプレート本体（５）に取付けると共にそのプレート本体（５）には、少なくともアラーム（７）付きタイマー（６）を設けることにより、傘が開かなくなり、解除片（４）を差込まなければ傘の使用ができず、盗難防止となる。またプレート本体（５）を持ち歩けば、例え傘の存在を忘れても所定時間経過すれば、アラーム（７）による警告音で傘の存在を思い出すことが可能となるため、置き忘れることが殆どなくなるのである。
【０００７】
請求項２のようにロック手段（３）が、予め握柄本体（１）の基部に形成した溝状の凹部（1a）に、一端を固定する板バネ（3a）と、予めスライドリング（２）に穿設させた止穴（2a）に、挿入可能で且つ板バネ（3a）の他端に取付けたピン（3b）とから成されることにより、極めて簡単な構造となるため、故障しにくく、操作が簡単で且つ安価にロック手段（３）を備えることが出来るものとなる。
【０００８】
請求項３に示すように解除片（４）が、予めスライドリング（２）に穿設させた係止穴（2b）から挿入して板バネ（3a）を押圧可能とすることにより、ロック手段（３）の解除が簡単であるため、子供にも利用できるものとなり、より多くの人々に利用してもらえるものとなる。
【０００９】
請求項４に示すようにプレート本体（５）が合成樹脂で傘状，動物，キャラクターの内の１つに形成され、且つタイマー（６）に接続して設定時間を選択する選択ボタン（８）がプレート本体（５）に設けられることにより、所要時間に応じてアラーム（７）の警告音で傘の存在を思い出すことが可能となると共に傘を置き忘れた場合であっても、置いた場所から遠く離れる前に警告音が鳴るため、傘の置き忘れに気付き、直ぐに取りに戻ることが可能となり、置き忘れが殆どなくなる。特に電車に乗る時に予めタイマー（６）を短めの設定時間に設定しておけば、例え寝ていても傘の置き忘れ防止と共に降り遅れ防止の役目も兼務出来るものとなる。又、プレート本体（５）の形状を傘状に形成すれば、それを見る度に、傘を持って来たことを直ぐに思い出すことが可能となる。またプレート本体（５）の形状を動物やキャラクターにすることにより、装飾的な機能が備わると共に嗜好性も備えられたものとなる。
【００１０】
請求項５のようにプレート本体（５）に、手首へ装着可能なゴム紐（９）が取付けられることにより、解除片（４）を手首に簡単に装着できるため、傘を開く際に解除片（４）を探すことなく直ぐに使用することが出来るものとなると共に、手首に装着したプレート本体（５）やゴム紐（９）を見れば、傘の存在を思い出すことが可能となるため、傘の置き忘れが減少するものとなる。
【００１１】
請求項６のようにプレート本体（５）の裏面を平らに成し、そこに氏名や連絡先を記載することにより、傘を例え置き忘れたとしても、傘の持ち主が記載されているので、傘を紛失する可能性が激減するものとなる。
【考案を実施するための最良の形態】
【００１２】
図１は本考案の実施形態を示す図であり、これに基づき説明する。(１)は傘の握柄本体であり、該握柄本体（１）の基部には溝状の凹部（1a）が形成されている。（２）は握柄本体（１）の基部の外周にスライド自在に挿入して設けた金属製のスライドリングであり、該スライドリング（２）には止穴（2a）と係止穴（2b）が穿設されている。該係止穴（2b）の形状は図３に示す想像線のように、楕円に溝を合せた形状であり、この楕円の長さの目安は、後述する解除片（４）が係止穴（2b）に挿入された時にスライドリング（２）を移動させて、後述するピン（3b）が止穴（2a）から外れた際に、解除片（４）が係止穴（2b）から引き抜ける長さであれば良い。更に前記スライドリング（２）の内周は、傘骨（11）の先端が収納可能である。尚、前記スライドリング（２）がずれずに移動するために、図２の下部に示すガイドを設けておくと良い。（３）はスライドリング（２）の内側に備えたロック手段であり、該ロック手段（３）は、凹部（1a）に一端を固定した板バネ（3a）と、該板バネ（3a）の他端に取付けたピン（3b）とから成されており、前記ピン（3b）は止穴（2a）に挿入可能である。（４）はロック手段（３）によるロック状態を解除するための金属製の解除片であり、該解除片（４）は丸棒に板状の片を下部に嵌合して一部を突設させたものを用いるのが好ましい。また前記解除片（４）を係止穴（2b）に挿入して板バネ（3a）が押圧されることにより、ロック状態が解除する。
【００１３】
（５）は解除片（４）の一端を埋設した傘状の合成樹脂製のプレート本体であり、該プレート本体（５）の形状としては、図１、図３に示す傘状以外に、図４（ｂ）に示す犬などの動物或いはキャラクターに形成すると良く、前記プレート本体（５）の裏面は平らにしておくことが好ましい。又、その平面には図４（ａ）のように氏名や連絡先を記載しておくと良い。更にプレート本体（５）の一部には、後述するゴム紐（９）を取付けるための取付部が設けられている。（６）はプレート本体（５）に埋設されたアラーム（７）付きタイマーであり、前記アラーム（７）の警告音は、ブザー音やオルゴール音が好ましいが、他の音でも良い。（８）はタイマー（６）に接続して設定時間を選択する選択ボタンであり、該選択ボタン（８）はプレート本体（５）の裏面に設けられ、その設定時間や個数としては、例えば１５分用，３０分用，６０分用の３つのボタンを図４（ａ）に示すように備えると良いが、この設定時間や個数に限定されるものではない。（９）はプレート本体（５）を手首に装着させるためのゴム紐であり、該ゴム紐（９）の色としては目立つ赤色にするのが好ましいが、これに限定されるものではない。またゴム紐（９）の代りに伸縮可能なバンド体を用いても良い。（10）は傘軸である。
【００１４】
図５は本考案の作用を示す図であり、これに基づいて説明する。予め図１の如くスライドリング（２）の内周に傘骨（11）の先端を収納し、ピン（3b）が止穴（2a）に挿入してスライドリング（２）を固定させたロック状態から、傘を開く場合は、先ず図５（ａ）の図中矢印のように解除片（４）を係止穴（2b）の左側に寄せて挿入し且つ押圧すると、ロック手段（３）の板バネ（3a）が図中矢印のように下がると共にピン（3b）が止穴（2a）から外れてロック状態が解除されるのである。この時、解除片（４）の丸棒は楕円状の係止穴（2b）の左端と接触する状態である。その後、図５（ｂ）に示す矢印のようにスライドリング（２）を左側へ移動させる。すると、解除片（４）の丸棒は係止穴（2b）の右端に当接してスライドリング（２）はこれ以上移動できずに止まるのである。そして、解除片（４）を持上げれば、板状の突出部分と係止穴（2b）の溝部分が合致して抜けるのである。この時、ピン（3b）は止穴（2a）からずれてスライドリング（２）の内周と接触している。次にスライドリング（２）を左側へ更に図中矢印のように移動すると、スライドリング（２）の右端は、図５（ｃ）のように握柄本体（１）の右端面と略一致すると共にスライドリング（２）の左側は握柄本体（１）に密着する。このため、傘骨（11）の先端は図中矢印のように外側へ広がり、傘を自由に開けるものとなり、傘を広げて使用すれば良い。この時、解除片（４）は傘と分離するので、紛失しないように手に持てば良い。特に解除片（４）をプレート本体（５）と一体化し且つゴム紐（９）が取付けられていれば、手首にゴム紐（９）を装着するだけで、解除片（４）も一緒に手首に装着された状態となる。
【００１５】
次に傘を外出先の傘立に入れる場合について説明する。先ず傘を閉じ、傘骨（11）の先端を傘軸（10）に密着させる。そして、スライドリング（２）を右側へ移動させてその内側に傘骨（11）の先端を収納させる。この時、ピン（3b）が止穴（2a）に挿入できるように注意してスライドリング（２）を移動させる。特にスライドリング（２）の左側端が、凹部（1a）の端面と略一致する位置になると、ピン（3b）は止穴（2a）へ確実に挿入されるのである（図５参照）。この時、商用や用事を済ます予定時間を設定時間として選択ボタン（８）で設定させておく。この設定方法は極めて簡単であり、例えば３０分に設定する時は、図４（ａ）に示す３０の横のボタンを押せば、アラーム（７）の設定時間が３０分に設定されるのである。尚、傘を傘立に入れた後、他人が勝手に持ち出して使用しようとしても、傘が開かないので使用できず、傘の持ち去られることがなくなるため、盗難防止となるのである。
【００１６】
そして、商用や用事を行う。この間は、手首にゴム紐（９）が付いているので、腕時計を見る度に手首のゴム紐（９）やプレート本体（５）が目に入り、それが気に掛かるので、傘を傘立に置いたことを思い出すのである。この時、プレート本体（５）の形状が傘状であれば、一目で思い出せるものとなる。又、プレート本体（５）の形状が動物やキャラクターであれば、それを手首に装着するだけで目立った状態となるため、そのプレート本体（５）自体がアクセサリー効果を発揮させるものとなる。その後、商用や用事を済ました後は、傘を傘立から出して持ち帰れば良いが、忘れてそのまま傘立から遠ざかったとしても、前記設定時間が３０分経過すると、アラーム（７）が作動されて警告音を発するので、傘立まで戻り、傘を傘立から出して持ち帰れば良い。尚、家に帰った後、手首からゴム紐（９）を外し、解除片（４）が紛失しないようにスライドリング（２）に装着しておけば良い。この場合は、解除片（４）を係止穴（2b）に挿入し、その後、解除片（４）を９０度回転しておけば、解除片（４）の板状部分が係止穴（2b）の下に隠れるため、解除片（４）が係止穴（2b）に挿入されていても、解除片（４）を係止穴（2b）から抜かない限り傘は使用できないので、他の人に勝手に使用される恐れがないものとなる。更に、この時、解除片（４）は図５（ａ）又は図５（ｂ）の状態となって板バネ（3a）の弾性力によって押上げられた状態となるため、移動時に解除片（４）が極めて落ちにくいものとなり、紛失する恐れが殆どないものとなる。
【図面の簡単な説明】
【００１７】
【図１】本考案の実施形態の要部断面を示す説明図である。
【図２】図１のＸ−Ｘ断面図である。
【図３】本実施形態の解除片とプレート本体及びゴム紐が取付けられた状態を示す説明図である。
【図４】本実施形態の解除片とプレート本体が一体化した裏面と、プレート本体の他の形状を示す説明図である。
【図５】本考案の作用を示す説明図である。
【符号の説明】
【００１８】
１  握柄本体
1a  凹部
２  スライドリング
2a  止穴
2b  係止穴
３  ロック手段
3a  板バネ
3b  ピン
４  解除片
５  プレート本体
６  タイマー
７  アラーム
８  選択ボタン
９  ゴム紐
11  傘骨
【図１】
0003119766.tif 000003
【図２】
0003119766.tif 000004
【図３】
0003119766.tif 000005
【図４】
0003119766.tif 000006
【図５】
0003119766.tif 000007